(57)【特許請求の範囲】
【請求項１】
所定の軸線方向に沿って長く延びるように設けられた中棒の軸線方向に沿って上下移動するように前記中棒に下ろくろが外嵌され、前記中棒の軸方向沿いの下端部にハンドルが取り付けられてなる折畳み傘の閉傘定位構造であって、
前記下ろくろは、第１の係止部が設けられ、
前記ハンドルは、前記中棒の下端部を保持する保持空間を画成する内壁部と、前記内壁部の外側に所定の間隔をおいて設けられた外壁部とを有し、前記内壁部の上端に所定の間隔をおいて設けられた複数の割り溝を介して軸方向と垂直の径方向に揺動する複数の弾性変形可能な係止片が直立して設けられ、各前記係止片は、前記折畳傘を前記下ろくろが前記中棒の下端側の閉傘位置に移動したときの閉傘状態に定位するように前記第１の係止部に対応して互いに係合できる第２の係止部が設けられていることを特徴とする折畳み傘の閉傘定位構造。
【請求項２】
前記係止片は、前記内壁部より上向きに連続して延伸されて設けられていることを特徴とする請求項１に記載の折畳み傘の閉傘定位構造。
【請求項３】
前記ハンドルは、前記中棒の下端部を保持する有底カップ状ハンドル本体を有し、
前記内壁部は、前記ハンドル本体の閉塞端の底壁部から上向きに連続して立ち上がって形成された外側壁と、前記外側壁と結合して内側に前記中棒の下端部を保持する前記保持空間を画成した内側壁とからなり、
前記外側壁の内側壁寄りの内周面と前記内側壁の前記外側壁寄りの外周面とにはそれぞれ互いに係合できるねじが形成されていることを特徴とする請求項１又は２に記載の折畳み傘の閉傘定位構造。
【請求項４】
前記係止片は、前記内側壁より上向きに連続して延伸されて設けられていることを特徴とする請求項３に記載の折畳み傘の閉傘定位構造。
【請求項５】
前記下ろくろは、前記中棒に対して軸線方向沿いに上下に摺動可能に設けられた中空筒状の作動部材を有し、
前記作動部材は、前記閉傘位置にて前記第１の係止部によって前記係止片が径方向に揺動するように弾性変形可能に前記第２の係止部が押されるように前記係止片を取り囲む内周面を有し、
前記第１の係止部が、前記第２の係止部と互いに係止定位できるように前記内周面から前記中棒に向かって延伸されて設けられていることを特徴とする請求項１〜４のいずれか１項に記載の折畳み傘の閉傘定位構造。
【請求項６】
前記第２の係止部は、その延伸された外側面の断面が円形状に形成されていることを特徴とする請求項１〜５のいずれか１項に記載の折畳み傘の閉傘定位構造。
【請求項７】
前記第１の係止部は、その延伸された外側面が下側に向かって薄肉になるように傾斜するガイド傾斜面が設けられていることを特徴とする請求項１〜６のいずれか１項に記載の折畳み傘の閉傘定位構造。
【発明の詳細な説明】
【技術分野】
【０００１】
本発明は、例えば入れ子パイプによる伸縮式中棒を備えた折畳み傘の閉傘定位構造に関する。
【背景技術】
【０００２】
折畳み傘は、例えば所定の軸に沿って長くのびるように２本以上のパイプを入れ子式に相対的に摺動伸縮可能に組み合わしてなり、軸沿いの反対の上端と下端を有する中棒を折畳み式傘骨と共に用いて構成されており、不要のときに折り畳まれて小さくなるようにしたものである。
【０００３】
図５は、従来の折畳み傘の一例の概要を示す。図示の折畳み傘は、その中棒５１の下端に取り付けられたハンドル本体に突起５４，５４が設けられ、下ろくろ５５の下端に係止孔５６，５６が開けられている。閉傘時、下ろくろ５５が中棒５１に沿って下側に移動すると、係止孔５６，５６に突起５４，５４が嵌入されて係止される。このようにして、下ろくろ５５がハンドル５２にて定位され、コンパクトに折り畳まれた傘の閉傘状態を保持することができる。
【先行技術文献】
【特許文献】
【０００４】
【特許文献１】中国登録実用新案第ＣＮ−Ｙ−２０１２８２７８４号公報
【発明の概要】
【発明が解決しようとする課題】
【０００５】
上記従来の傘において、ハンドル５２は一般に硬質な材料で作られており、突起５４，５４が下ろくろ５５の内壁を滑りながら係止孔５６，５６に係入するため、使用につれて突起５４，５４が磨耗するので、突起５４が係止穴５６から脱離し易くなり、安定して定位できなくなる問題点がある。また、突起５４が磨耗すると、構造強度が低下するので、折れ易くなる等の問題点もある。
【０００６】
本発明は、上記問題点に鑑みてなされたものであり、傘の閉傘状態を安定して保持する構造の強度を向上できると共に使用寿命が長い折畳み傘の閉傘定位構造を提供することを目的とする。
【課題を解決するための手段】
【０００７】
上記目的を達成するために、本発明に係る折畳傘の閉傘定位構造は、所定の軸線方向に沿って長く延びるように設けられた中棒の軸線方向に沿って上下移動するように前記中棒に下ろくろが外嵌され、前記中棒の軸方向沿いの下端部にハンドルが取り付けられてなる折畳傘の閉傘定位構造であって、前記下ろくろは、第１の係止部が設けられ、前記ハンドルは、前記中棒の下端部を保持する保持空間を画成する内壁部と、前記内壁部の外側に所定の間隔をおいて設けられた外壁部とを有し、前記内壁部の上端に所定の間隔をおいて設けられた複数の割り溝を介して軸方向と垂直の径方向に揺動する複数の弾性変形可能な係止片が直立して設けられ、各前記係止片は、前記折畳傘を前記下ろくろが前記中棒の下端側の閉傘位置に移動したときの閉傘状態に定位するように前記第１の係止部に対応して互いに係合できる第２の係止部が設けられていることを特徴とする。
【発明の効果】
【０００８】
本発明に係る折畳傘の閉傘定位構造において、ハンドル本体の内壁部に複数の割り溝をおいて径方向に弾性変形可能な可撓性係止片が複数設けられているので、下ろくろの移動操作によって、第１の係止部が第２の係止部と接触しながら、係止片が径方向に揺動するように押されると共に、第２の係止部を通り越して第１の係止部が第２の係止部に係止することができる。従って、第１の係止部と第２の係止部との係止により、傘の閉傘状態を安定して保持することができる。また、係止片が径方向に揺動するように弾性変形することにより、第１の係止部と第２の係止部との磨耗を大幅に軽減することができるので、使用寿命が長い折畳み傘が得られる。
【図面の簡単な説明】
【０００９】
【図１】本発明に係る折畳み傘の閉傘定位構造の一例を概略的に示す側面断面図である。
【図２】図１の本発明に係る折畳み傘の閉傘定位構造を概略的に示す分解斜視図である。
【図３】図１の本発明に係る折畳み傘の閉傘状態を概略的に示す側面断面図である。
【図４】本発明に係る折畳み傘の閉傘定位構造の他例を概略的に示す側面断面図である。
【図５】従来の折畳み傘の閉傘定位構造の一例を概略的に示す側面断面図である。
【発明を実施するための形態】
【００１０】
以下、添付図面を参照しながら、本発明の好ましい実施形態の一例に係る折畳み傘の閉傘定位構造について説明する。なお、本発明の実施形態において、同一構成及び機能を有する構成要素については、同一番号を付してその説明を省略する。
【００１１】
（実施例１）
図１は、本発明に係る折畳み傘の閉傘定位構造の実施例１を概略的に示す側面断面図である。図中、１００は不要のときに折り畳み易くするために例えば所定の軸線Ｌ方向に沿って長く延びるように２本以上のパイプを入れ子式に相対的に摺動伸縮可能に組合わしてなる中棒であり、２は中棒１００の軸線Ｌ方向に沿って上下移動するように中棒１００に外嵌されている下ろくろであり、１は中棒１００の軸方向沿いの下端部１０１に取り付けられたハンドルである。
【００１２】
下ろくろ２は、中棒１００に摺動自在に外嵌され、傘骨（図示せず）が回動可能に連結される中空筒状のろくろ本体２１と、ろくろ本体２１に対して軸線Ｌ方向沿いに上下に摺動可能に連結して設けられている中空筒状の作動部材２２とを有する。
【００１３】
作動部材２２は、図１及び図２に示すように、ろくろ本体２１と後述する係止片１５４とを取り囲む嵌設空間を画成しており、ろくろ本体２１を取り囲む周壁部２２１は、嵌設空間側の内周面２２２を有する。作動部材２２は、第１の係止部２２３が内周面２２２から内向きに突起状に延伸されて設けられている。また、第１の係止部２２３は、その延伸された外側面に下側に向かって薄肉になる、つまり下側に向かって嵌設空間が径大になるように傾斜するガイド傾斜面２２４が設けられている。
【００１４】
ハンドル１は、図１及び図２に示すように、中棒１００の下端部１０１を保持するハンドル本体１０を有し、ハンドル本体１０は、その軸線Ｌ方向の一端が上向きに開口し、他端が閉塞されて縦断面が略Ｕの字形の有底カップ状になっており、閉塞端の底壁部１３と、軸線Ｌの周りを取り囲むように底壁部１３から立ち上がって中棒１００の下端部１０１に挿入されてこれを保持する保持空間１２０を画成する内壁部１２と、底壁部１３の周縁から立ち上がって内壁部１２との間に折り畳まれた傘骨の骨先（図示せず）が入る収容空間１１０を形成する外壁部１１とを有する。
【００１５】
内壁部１２は、この例において、底壁部１３から上向きに連続して立ち上がって形成された外側壁１４と、外側壁１４と結合して内側に中棒１００の下端部１０１を保持する保持空間１２０を画成した内側壁１５とからなっている。なお、この例では、外側壁１４の内側壁１５寄りの内周面１４１と内側壁１５の外側壁１４寄りの外周面１５１とにはそれぞれ互いに係合できるねじ１４１ａ，１５１ａが形成され、外側壁１４と内側壁１５とが一体に結合されている。
【００１６】
内側壁１５の上端部１５２には、外側壁１４の上端面１４２と接触することができるように、上側フランジ１５３が軸線Ｌ方向とほぼ垂直の径方向に外向きに張り出て外側壁１４に係止できるように形成されている。また、内側壁１５の上端部１５２からは、円周方向において所定の間隔をおいて複数（図２の図示例では４つ）の割り溝１５６，１５６，・・・が縦長（軸線Ｌ方向）に切り欠かれていることにより径方向に揺動することができる複数の弾性変形可能な係止片１５４，１５４，・・・が上向きに延伸されるように設けられている。
【００１７】
各係止片１５４は、上端部１５２側との連結端部１５４ａと径方向に連結端部１５４ａを基点として揺動できる可動端部１５４ｂとを有するように、内側壁１５の上端部１５２に接続して延伸形成されており、係止片１５４はその上端から第１の係止部２２３に対応して係止される第２の係止部１５５が径方向に外向きに例えばつば状且つリング状に張り出て設けられている。なお、この例では、第２の係止部１５５は、その延伸された外面の断面が円形状に形成されている。
【００１８】
これにより、下ろくろ２が下側に移動すると、中棒１００の下端側の閉傘位置にて第１の係止部２２３によって第２の係止部１５５が押されながら係止片１５４が径方向に揺動（縮径）すると共に、ガイド傾斜面２２４を介して簡単に第２の係止部１５５を通り越すと、第２の係止部１５５に第１の係止部２２３が引っ掛けられて定位される。また、下ろくろ２が上側に移動する際には、第２の係止部１５５の延伸された円形状外面によって第１の係止部２２３が簡単に通り越すことができるので、第２の係止部１５５との係止から脱離することができる。
【００１９】
以上のように構成された折畳み傘の操作及び作用を以下に説明する。
折畳み傘を閉傘するとき、下ろくろ２が図１に示す中棒１００の上端側の開傘位置から下端部１０１側へ移動すると、可動部材２２の第１の係止部２２３のガイド傾斜面２２４と接触しながら導かれると共に、周壁部２２１によって揺動端部１５４ｂが径方向内向き（縮径方向）に押されながら第２の係止部１５５が第１の係止部２２３を通り越す。第１の係止部２２３が第２の係止部１５５よりも下側に移動されると、揺動端部１５４ｂは押される前の状態に戻る（拡径）ように弾性変形する。これにより図３に示すように、第１の係止部２２３と第２の係止部１５５とが係止されると、下ろくろ２がハンドル１に対して定位される。従って、傘を中棒１００の下端側の閉傘位置にて傘骨（図示せず）が閉じている閉傘状態にすることができる。
【００２０】
次に、図３に示す傘の閉傘状態にて、下ろくろ２を上向きに移動させるように操作すると、第１の係止部２２３と第２の係止部１５５との係止を解除するように第１の係止部２２３が第２の係止部１５５の円形状外面と接触しながら、弾性変形できる係止片１５４が径方向内向きに揺動するように押されながら第２の係止部１５５を通り越す。第１の係止部２２３が第２の係止部１５５よりも上側に移動すると、係止片１５４がまた押される前の状態に戻る（拡径）ように揺動する。このように、下ろくろ２が中棒１００の上端側の開傘位置へ移動されると、再び傘を開傘状態にすることができる。
【００２１】
以上の構成による本発明に係る折畳み傘は、ハンドル本体１０の内壁部１２に割り溝１５６をおいて径方向に拡縮弾性変形可能な可撓性係止片１５４が設けられているので、下ろくろ２の移動操作によって、第１の係止部２２３が係止片１５４に設けられた第２の係止部１５５と接触しながら係止片１５４が径方向に揺動するように押されると共に、第２の係止部１５５を通り越すことができる。従って、下ろくろ２に設けられた第１の係止部２２３がハンドル１の第２の係止部１５５と係止されることができるので、下ろくろ２がハンドル１に対して安定して定位されることができる。また、第２の係止部１５５の断面が丸い側面によって第１の係止部２２３が第２の係止部１５５との係止から簡単に脱離することができるので、下ろくろの上下移動をも妨げることなく操作することができる。
【００２２】
（実施例２）
図４は、本発明に係る折畳み傘の閉傘定位構造の実施例２を概略的に示す側面断面図である。図示のように、本発明の実施例２は実施例１とほぼ同じ構成を有しており、ただ実施例１における内壁部１２と違って、ハンドル本体１０Ａにおける内壁部１２Ａが底壁部１３から上向きに連続して立ち上がって形成されている。内壁部１２Ａの上端からは、円周方向において所定の間隔をおいて複数の割り溝１５６，１５６，・・・が縦長に切り欠かれていることにより径方向に揺動することができる複数の弾性変形可能な係止片１５４，１５４，・・・が上向きに延伸されるように設けられている。
【００２３】
以上のように構成された折畳み傘は、下ろくろ２の移動操作によって、第１の係止部２２３が係止片１５４に設けられた第２の係止部１５５と接触しながら係止片１５４が径方向に揺動するように押されると共に、第２の係止部１５５を通り越すことができる。従って、下ろくろ２に設けられた第１の係止部２２３がハンドル１の第２の係止部１５５と係止されることができるので、下ろくろ２がハンドル１Ａに対して安定して定位されることができる。また、第２の係止部１５５の断面が丸い側面によって第１の係止部２２３が第２の係止部１５５との係止から簡単に脱離することができるので、下ろくろ２の上下移動をも妨げることなく操作することができる。
【００２４】
本発明に係る折畳み傘の閉傘定位構造は、例えば入れ子パイプによる伸縮式中棒を備えた折畳み傘の閉傘定位構造に有用である。
【００２５】
以上、本発明を実施形態と共に説明したが、本発明はこれらの実施形態にのみ限定されるものではなく、本発明の範囲内で変更等が可能である。
例えば、割り溝１５６の個数等は図示例の場合に限らず、必要に応じて適宜増減することができ、上記実施形態と同様な作用効果を得ることができる。
【符号の説明】
【００２６】
１００  中棒
１０１  下端部
１  ハンドル
１０  ハンドル本体
１１  外壁部
１１０  収容空間
１２  内壁部
１２０  保持空間
１３  底壁部
１４  外側壁
１４１  内周面
１４１ａ，１５１ａ  ねじ
１４２  上端面
１５  内側壁
１５１  外周面
１５２  上端部
１５３  上側フランジ
１５４  係止片
１５４ａ  連結端部
１５４ｂ  可動端部
１５５  第２の係止部
１５６  割り溝
２  下ろくろ
２１  ろくろ本体
２２  作動部材
２２１  周壁部
２２２  内周面
２２３  第１の係止部
２２４  ガイド傾斜面
【図１】
0005357306.tif 000002
【図２】
0005357306.tif 000003
【図３】
0005357306.tif 000004
【図４】
0005357306.tif 000005
【図５】
0005357306.tif 000006